(57)【要約】【課題】遊技盤検査装置において遊技盤から排出される遊技球の滞留を防止可能な遊技盤検査装置用治具を提供する。【解決手段】遊技盤検査装置用治具５０は、搬送方向に沿う長手方向の一端から他端に向かって下り傾斜する傾斜面５１ａを有する案内部５１を備えているので、遊技盤検査作業において遊技盤３０の遊技球排出口３５から排出された検査用の遊技球Ｂは、案内部５１の傾斜面５１ａによって一端から他端に向かう方向へ円滑に案内され、検査台１０の凹形状部１２へ排出される。従って、遊技盤３０から排出された遊技球Ｂがターンテーブル１４の上面や周囲に滞留することを防止することができる。【選択図】図５
2010088719.tif 000002
【特許請求の範囲】
【請求項１】
上面に凹形状部が設けられた検査台と、前記検査台上に設けられた水平方向に回転可能なターンテーブルと、前記ターンテーブル上に固定され且つ搬送方向に延びる一対のフレーム間に複数のローラを所定間隔で回転自在に配置してなり前記複数のローラ上に遊技盤を起立状態で載置・搬送可能なローラコンベアとを備えた遊技盤検査装置において、前記ローラコンベアにおける前記複数のローラと前記ターンテーブルとの間に配置される治具であって、
前記搬送方向に沿う長手方向の少なくとも一方側に向かって下り傾斜する傾斜面を有する案内部を備えたことを特徴とする遊技盤検査装置用治具。
【請求項２】
前記案内部に設けられた前記傾斜面は、前記長手方向の一端から他端に向かって下り傾斜することを特徴とする請求項１に記載の遊技盤検査装置用治具。
【請求項３】
前記案内部に設けられた前記傾斜面は、前記長手方向の中間部から一端に向かって下り傾斜する第１傾斜面と、前記中間部から他端に向かって下り傾斜する第２傾斜面とからなることを特徴とする請求項１に記載の遊技盤検査装置用治具。
【請求項４】
前記長手方向との直交方向において前記案内部の前記傾斜面を挟む両側に側壁部が立設されたことを特徴とする請求項１乃至３のいずれか１つに記載の遊技盤検査装置用治具。
【請求項５】
前記長手方向の少なくとも一端に、手で把持可能な把持部が設けられたことを特徴とする請求項１乃至４のいずれか１つに記載の遊技盤検査装置用治具。
【発明の詳細な説明】
【技術分野】
【０００１】
本発明は、完成した遊技盤の検査工程において遊技盤検査装置と共に使用される遊技盤検査装置用治具に関する。
【背景技術】
【０００２】
従来、パチンコ機等の遊技盤の組み立てが完成した後に、装飾ランプ等の演出部材が正常な入賞動作を行うかどうかの検査が行われており、この検査工程では遊技盤検査装置が使用される（例えば、特許文献１等参照。）。
【０００３】
図９は、従来例の遊技盤検査装置１０１を使用して遊技盤１３０の検査を行う様子を示す斜視図である。遊技盤検査装置１０１は、手前側が一段低い遊技球の貯留部１１３となっている凹形状部１１２が設けられた略箱状の検査台１１０を備え、凹形状部１１２の略中央にターンテーブル１１４が設けられている。また、ターンテーブル１１４の上面には、遊技盤１３０を起立状態で載置し搬送するためのローラコンベア１１９が配設されている。ローラコンベア１１９は、搬送方向に延びる一対のフレーム１１９ａ間に複数のローラ１１９ｂを所定間隔で回転自在に配置して構成される。
【０００４】
そして、遊技盤検査工程では、作業者が遊技盤１３０の正面側に設けられた各入賞口１３３等へ検査用の遊技球Ｂを指でつまんで投入し、装飾ランプ１３６等の演出部材が正常な入賞動作を行うかどうかを目視により検査する。また、図１０は、遊技盤１３０の背面側から遊技球Ｂが排出される様子を示す図である。遊技球Ｂは、図１０に示すように、複数の遊技球排出口１３５からローラコンベア１１９のローラ１１９ｂ間の隙間を通って凹形状部１１２内へ落下する。
【特許文献１】特開２００４−１４１３２３号公報
【発明の開示】
【発明が解決しようとする課題】
【０００５】
しかしながら、上述した従来の遊技盤検査装置１０１では、図１０に示すように、遊技盤１３０の遊技球排出口１３５から排出されてローラコンベア１１９のローラ１１９ｂ間の隙間から落下した遊技球が、ターンテーブル１１４の上面や周囲に滞留しやすいという問題がある。このため、作業者はターンテーブル１１４上面等に滞留した遊技球を手でならして手前側の貯留部１１３内へ掻き出す作業を行う必要があり、作業性低下の一因となっている。
【０００６】
本発明は上記課題に鑑みてなされたものであり、遊技盤検査装置において遊技盤から排出される遊技球の滞留を防止可能な遊技盤検査装置用治具を提供することを目的とする。
【課題を解決するための手段】
【０００７】
以下、上記課題を解決するのに適した各手段につき、必要に応じて作用効果等を付記しつつ説明する。
【０００８】
１．上面に凹形状部が設けられた検査台と、前記検査台上に設けられた水平方向に回転可能なターンテーブルと、前記ターンテーブル上に固定され且つ搬送方向に延びる一対のフレーム間に複数のローラを所定間隔で回転自在に配置してなり前記複数のローラ上に遊技盤を起立状態で載置・搬送可能なローラコンベアとを備えた遊技盤検査装置において、前記ローラコンベアにおける前記複数のローラと前記ターンテーブルとの間に配置される治具であって、
前記搬送方向に沿う長手方向の少なくとも一方側に向かって下り傾斜する傾斜面を有する案内部を備えたことを特徴とする遊技盤検査装置用治具。
【０００９】
手段１によれば、遊技盤検査装置用治具は、上面に凹形状部が設けられた検査台と、検査台上に設けられた水平方向に回転可能なターンテーブルと、ターンテーブル上に固定され且つ搬送方向に延びる一対のフレーム間に複数のローラを所定間隔で回転自在に配置してなり複数のローラ上に遊技盤を起立状態で載置・搬送可能なローラコンベアとを備えた遊技盤検査装置において、ローラコンベアにおける複数のローラとターンテーブルとの間に配置される。そして、遊技盤検査装置用治具が、搬送方向に沿う長手方向の少なくとも一方側に向かって下り傾斜する傾斜面を有する案内部を備えているので、遊技盤検査作業において遊技盤の遊技球排出口から排出された検査用の遊技球は、案内部の傾斜面によって長手方向の少なくとも一方側へ円滑に案内され、検査台の凹形状部へ排出される。従って、遊技盤から排出された遊技球がターンテーブルの上面や周囲に滞留することを防止することができ、従来必要であった滞留した遊技球をならす作業が不要となるため、作業性の向上を図ることが可能となる。
【００１０】
２．前記案内部に設けられた前記傾斜面は、前記長手方向の一端から他端に向かって下り傾斜することを特徴とする手段１に記載の遊技盤検査装置用治具。
【００１１】
手段２によれば、案内部に設けられた傾斜面が長手方向の一端から他端に向かって下り傾斜するので、遊技盤検査作業において遊技盤の遊技球排出口から排出された検査用の遊技球は、案内部の傾斜面によって他端に向かって円滑に案内される。尚、傾斜面が長手方向の一端から他端に向かって下り傾斜する簡単な構造であるため、製造が容易である。
【００１２】
３．前記案内部に設けられた前記傾斜面は、前記長手方向の中間部から一端に向かって下り傾斜する第１傾斜面と、前記中間部から他端に向かって下り傾斜する第２傾斜面とからなることを特徴とする手段１に記載の遊技盤検査装置用治具。
【００１３】
手段３によれば、案内部に設けられた傾斜面は、長手方向の中間部から一端に向かって下り傾斜する第１傾斜面と、中間部から他端に向かって下り傾斜する第２傾斜面とからなるので、遊技盤から第１傾斜面上に排出された遊技球は第１傾斜面によって一端に向かって円滑に案内される一方、第２傾斜面上に排出された遊技球は第２傾斜面によって他端に向かって円滑に案内される。尚、長手方向の両方向へ遊技球が案内されるため、遊技球を凹形状部内へ左右に偏りなく案内することができる。
【００１４】
４．前記長手方向との直交方向において前記案内部の前記傾斜面を挟む両側に側壁部が立設されたことを特徴とする手段１乃至３のいずれか１つに記載の遊技盤検査装置用治具。
【００１５】
手段４によれば、長手方向との直交方向において案内部の傾斜面を挟む両側に側壁部が立設されているので、遊技球が案内部の傾斜面から長手方向との直交方向の両側へ落下することを防止し、遊技球を下り傾斜方向へ確実に案内することができる。
【００１６】
５．前記長手方向の少なくとも一端に、手で把持可能な把持部が設けられたことを特徴とする手段１乃至４のいずれか１つに記載の遊技盤検査装置用治具。
【００１７】
手段５によれば、長手方向の少なくとも一端に手で把持可能な把持部が設けられているので、作業者は、把持部を手で把持することにより遊技盤検査装置用治具をローラコンベアにおける複数のローラとターンテーブルとの間へ配置する作業を容易に行うことができる。
【発明の効果】
【００１８】
本発明によれば、遊技盤から排出された遊技球がターンテーブルの上面や周囲に滞留することを防止することができ、従来必要であった滞留した遊技球をならす作業が不要となるため、作業性の向上を図ることが可能となる。
【発明を実施するための最良の形態】
【００１９】
以下、本発明の遊技盤検査装置用治具を具体化した一実施形態について図面を参照しつつ説明する。図１は、本発明の一実施形態の遊技盤検査装置用治具５０が使用される遊技盤検査装置１を示す斜視図である。図２は、遊技盤検査装置用治具５０を示す図であり、（ａ）は側面図、（ｂ）は平面図、（ｃ）は正面図、（ｄ）は（ｂ）におけるＡ−Ａ線断面図である。図３は、遊技盤検査装置１へ遊技盤検査装置用治具５０を装着する様子を示す斜視図である。図４は、遊技盤検査装置用治具５０を装着した遊技盤検査装置１における遊技球Ｂの流れを示す斜視図である。図５は、遊技盤３０から排出された遊技球Ｂが遊技盤検査装置用治具５０によって案内される様子を遊技盤３０の背面側から示す説明図である。
【００２０】
まず、遊技盤検査装置１の構成について、図１を参照しつつ説明する。遊技盤検査装置１は、パチンコ機等の遊技球を遊技媒体とする遊技盤の動作を検査するために用いられる装置であって、略箱状の検査台１０を備えている。検査台１０の上面は、側面が壁状に高く形成され且つ側面以外は低く形成された凹形状部１２となっている。凹形状部１２の前方部分は、中央乃至後方部分よりも高さが一段低く形成されており、検査用の遊技球の貯留部１３となっている。
【００２１】
検査台１０における凹形状部１２の奥行き方向および幅方向の中央部には、水平方向に回転可能なターンテーブル１４が設けられている。ターンテーブル１４は、鉛直回転軸１４ａと、鉛直回転軸１４ａによって水平方向に回転可能に支持される金属製の円板部材１４ｂと、円板部材１４ｂ上面に固定された所定厚みを有する２本の細長い長方形板状のブロック部材１４ｃとを備えている（図３乃至図５参照）。
【００２２】
また、ターンテーブル１４上には、ローラコンベア１９が固定されている。ローラコンベア１９は、遊技盤３０を起立状態で載置し、搬送するための公知の搬送装置である。ローラコンベア１９は、搬送方向に延びる一対のフレーム１９ａ間に複数のローラ１９ｂを所定間隔で回転自在に配置して構成される。ローラコンベア１９は、一対のフレーム１９ａのＬ字状に折り曲げ加工された下端部において、ターンテーブル１４のブロック部材１４ｂにボルト締めによって固定されている。
【００２３】
また、検査台１０の背面側から上方に向かって背面フレーム１５が立設され、背面フレーム１５の上端から、さらに前方に向かって上部フレーム１６が略水平に突設されている。上部フレーム１６の鉛直回転軸１４ａの軸線の延長上となる位置には、下方に向かって図示しないクランプ回転軸が垂設され、クランプ回転軸最下端にてクランプユニット１７が接合されている。なお、クランプユニット１７は図示しない駆動部により、遊技盤３０の上面を掴んで固定するクランプ状態と、遊技盤３０の上面を開放する解放状態とに切換可能であり、接地面上に載置された足踏み式スイッチ１８を踏みつけることにより、クランプ状態と解放状態とを切り換えることが可能となっている。
【００２４】
かかる構成により、遊技盤３０を検査台１０にて起立させて回転可能に保持することが可能となる。従って、本実施形態における検査対象の遊技盤３０をホール設置時と同姿勢にて検査をすることが可能であるとともに、遊技盤３０を作業しやすい方向に回転させて検査することができる。なお、本実施形態における検査対象の遊技盤３０は、各種部材の組み付けが完了した状態のものであって、背面側には、主制御基板ボックス、液晶パネル制御基板、音声ランプ制御基板ボックスを含む制御装置が予め備えられるとともに、前面側には各種役物３２、入賞口３３、液晶表示装置３４等が予め備えられ、各部材の電気的な接続も完了している。
【００２５】
ここで、遊技盤３０の製造工程の概略について説明する。最初に、遊技盤用のベニヤ板がライン上に搬入され、次に、適宜化粧板を貼った後、ベニヤ板をローラコンベア等により移送して自動釘打機に供給し、釘打ちを行う。多数の釘を打つため、自動釘打機はラインに複数機設けられ、同時並行にて釘打ちを行う。釘打ちが終了すると、レール付け機により、遊技領域を囲むように概略一回転する金属製のガイドレールを付ける。レール付けが終了すると、遊技領域に風車等の各種役物３２や入賞口３３を付ける。さらに、役物３２の駆動制御等を行う液晶パネル制御基板、図示しないＬＥＤ基板、図柄制御基板、図柄情報基板等の取り付けや、ランプの明滅パターン制御や音声出力制御などを行う音声ランプ制御基板を収容した音声ランプ制御基板ボックス、抽選制御を含む遊技盤３０の各種制御を行うための主制御基板を収容した主制御基板ボックスなどの制御装置４０を取り付けて、遊技盤３０が完成する。
【００２６】
また、検査台１０は、遊技盤３０に電源を供給するための構成として、電源コンセントと、コンセント側及び電源ユニット側にコードが設けられる電源スイッチと、電源ユニットとを備えると共に、遊技盤３０へ検査用の制御信号を入力する検査用制御ユニットを備えている（いずれも図示せず）。
【００２７】
次に、遊技盤検査装置用治具５０の構成について、図２を参照しつつ説明する。遊技盤検査装置用治具５０は、ローラコンベア１９における複数のローラ１９ｂとターンテーブル１４との間の空間へ搬送方向に沿って挿入可能な細長い全体形状を有し、案内部５１と、側壁部５２と、把持部５３とを備えて構成される。
【００２８】
案内部５１は、樹脂性の板状部材であって、長手方向の一端から他端に向かって下り傾斜する傾斜面５１ａが上面に設けられている。案内部５１は、ローラコンベア１９の長さよりもやや短い長さを有している。傾斜面５１ａの傾斜角は、ローラコンベア１９の長さ及び複数のローラ１９ｂとターンテーブル１４間の高さによって決定されるが、例えば、３〜１０度程度に設定するようにしてもよい。
【００２９】
側壁部５２は、樹脂製の一対の壁状部材であって、案内部５１の傾斜面５１ａを長手方向との直交方向に挟む両側に立設されている。側壁部５２は、ローラコンベア１９の長さと同程度の長さを有している。
【００３０】
把持部５３は、手で把持可能な太さ（例えば、直径１〜３ｃｍ程度）を有する樹脂製の丸棒状部材であって、長手方向の一方側において一対の側壁部５２間に架設されている。
【００３１】
遊技盤検査装置用治具５０は、例えば、図３に示すように、ローラコンベア１９の長手方向が前後方向となるようにターンテーブル１４を回転させた状態で、複数のローラ１９ｂ下方の空間内へ挿入され、ターンテーブル１４の一対のブロック部材１４ｃ上面に載置することにより遊技盤検査装置１へ装着される。
【００３２】
次に、遊技盤検査装置１において行われる遊技盤３０の検査の流れについて説明する。まず、図１に示すように、遊技盤３０を背面が前方側を向いた姿勢で、クランプユニット１７によりローラコンベア１９上に固定する。続いて、遊技盤３０の主制御基板と液晶パネル制御基板等の各制御基板とを接続する各コード（図示せず）を取外し、検査用制御ユニットから導出される各コード（図示せず）を各制御基板に接続する。このように、主制御基板と各制御基板との接続を解除して、検査用制御ユニットと各制御基板との接続を行うことにより、各制御基板は検査用制御ユニットから入力される制御信号によって動作可能となる。また、電源ユニットから導出される図示しない各コードを各制御基板に接続する。これにより、電源ユニットから各制御基板へ電源供給可能となる。
【００３３】
電源ユニットと各基板との接続が完了すると、遊技盤３０はターンテーブル１４により１８０度反転させられて前面が前方側に向けられる（図４参照）。この状態で、電源スイッチをオン位置に切り換えると、遊技盤３０の前面に備えられた各種可動部材、表示装置３４等が作動を開始する。このとき、遊技盤３０は電源が投入された状態にあり、検査用制御ユニットから検査用の制御信号が各制御基板に入力されるため、液晶表示装置３４の表示および役物３２の発光状況が正常であるか否かを作業者は目視検査する。
【００３４】
さらに、遊技球の貯留部１３から遊技球を取り出して、入賞口３３に遊技球を投入する。正常な遊技盤であれば所定数入賞口３３に遊技球が投入されると遊技状態が通常状態から特別状態に切り換えられ、液晶表示装置３４の表示状況や役物３２の発光状況も変化することとなる。すなわち、入賞口３３に遊技球を投入し意図的に特別状態を発生させることにより、特別状態における液晶表示装置３４、役物３２の動作状況の目視検査を行っている。むろん、特別状態に切り替わるか否かも判断することができる。
【００３５】
ここで、遊技盤３０から排出された検査用の遊技球Ｂは、図４に示すように、ローラコンベア１９の複数のローラ１９ｂ下方に装着された遊技盤検査装置用治具５０によってローラコンベア１９右端から検査台１０の凹形状部１２へ排出される。すなわち、図５に示すように、遊技盤３０の遊技球排出口３５から排出された検査用の遊技球Ｂは、遊技盤検査装置用治具５０における案内部５１の傾斜面５１ａ上に落下して転動し、左端から右端に向かう方向へ案内され、遊技盤検査装置用治具５０の右端から検査台１０の凹形状部１２へ排出される。尚、図５は、遊技盤３０の背面側から図示しているため、図４とは左右が逆になっている。
【００３６】
また、検査用制御ユニット８０から強制的にリーチ遊技状態や大当り遊技状態を発生させる制御信号を液晶パネル制御基板４２等の各制御基板に入力することにより、各遊技状態における液晶表示装置３４、役物３２の動作状況の目視検査を行う。
【００３７】
以上の検査が完了すると遊技盤３０は、主制御基板と各制御基板とを検査前と同様に配線接続した後、ローラコンベア１９から取り外されて、良品であれば次工程に払い出される。不良品であれば他の検査手段により、不具合箇所の検出、不良解析等が行われる。
【００３８】
以上詳述したことから明らかなように、本実施形態によれば、遊技盤検査装置用治具５０は、遊技盤検査装置１において、ローラコンベア１９における複数のローラ１９ｂとターンテーブル１４との間に配置されている。そして、遊技盤検査装置用治具５０は、搬送方向に沿う長手方向の一端（左端）から他端（右端）に向かって下り傾斜する傾斜面５１ａを有する案内部５１を備えているので、遊技盤検査作業において遊技盤３０の遊技球排出口３５から排出された検査用の遊技球Ｂは、案内部５１の傾斜面５１ａによって一端（左端）から他端（右端）に向かう方向へ円滑に案内され、検査台１０の凹形状部１２へ排出される。従って、遊技盤３０から排出された遊技球Ｂがターンテーブル１４の上面（詳細には、円板部材１４ｂ上面）や周囲に滞留することを防止することができ、従来必要であった滞留した遊技球をならす作業が不要となるため、作業性の向上を図ることが可能となる。本実施形態の遊技盤検査装置用治具５０は、傾斜面５１ａが長手方向の一端から他端に向かって下り傾斜する簡単な構造であるため、製造が容易である。
【００３９】
また、遊技盤検査装置用治具５０は、特に、長手方向との直交方向において案内部５１の傾斜面５１ａを挟む両側に側壁部５２が立設されているので、遊技球が案内部５１の傾斜面５１ａから長手方向との直交方向の両側へ落下することを防止し、遊技球を下り傾斜方向へ確実に案内することができる。
【００４０】
さらに、遊技盤検査装置用治具５０は、長手方向の一端に手で把持可能な把持部５３が設けられているので、作業者は、把持部５３を手で把持することにより遊技盤検査装置用治具５０をローラコンベア１９における複数のローラ１９ｂとターンテーブル１４との間へ配置する作業を容易に行うことができる。
【００４１】
尚、本発明は上述した実施の形態に限定されるものではなく、本発明の主旨を逸脱しない範囲で種々の変更を施すことが可能であることは云うまでもない。
【００４２】
例えば、上記実施形態では、案内部５１が搬送方向に沿う長手方向の一端から他端に向かって下り傾斜する傾斜面５１ａを有する構成とし、遊技球がローラコンベア１９の一端側から排出される構成としたが、ローラコンベア１９の両端側から排出される構成としてもよい。ここで、図６は、変形例の遊技盤検査装置用治具５０‘を示す図であり、（ａ）は側面図、（ｂ）は平面図、（ｃ）は正面図、（ｄ）は（ｂ）におけるＢ−Ｂ線断面図である。図７は、変形例の遊技盤検査装置用治具５０’を装着した遊技盤検査装置１における遊技球の流れを示す斜視図である。図９は、遊技盤３０から排出された遊技球が変形例の遊技盤検査装置用治具５０’によって案内される様子を遊技盤３０の背面側から示す説明図である。変形例の遊技盤検査装置用治具５０’において、案内部５１に設けられた傾斜面５１ｂは、図６に示すように、長手方向の中間部５１ｃから一端（左端）に向かって下り傾斜する第１傾斜面５１ｄと、中間部５１ｃから他端（右端）に向かって下り傾斜する第２傾斜面５１ｅとからなる。
【００４３】
そして、図７、図８に示すように、遊技盤３０から第１傾斜面５１ｄ上に排出された遊技球Ｂは第１傾斜面によって一端（左端）に向かって円滑に案内される一方、第２傾斜面５１ｅ上に排出された遊技球Ｂは第２傾斜面（右端）によって他端に向かって円滑に案内される。本変形例では、ローラコンベア１９長手方向の両方向へ遊技球が案内されるため、遊技球を凹形状部１２内へ左右に偏りなく案内することができるという利点がある。
【００４４】
また、上述した実施形態では、遊技盤検査装置用治具５０をパチンコ機の遊技盤を検査するための遊技盤検査装置１に用いる治具として説明したが、パチンコ機だけでなく、遊技球を用いる他のタイプの遊技機の遊技盤（例えば、パチンコ機とスロットマシンとを融合した所謂パチロット機等の遊技盤）を検査するための装置に用いることも可能である。
【産業上の利用可能性】
【００４５】
本発明は、パチンコ機等の遊技球を遊技媒体として用いる遊技盤の動作を検査するための遊技盤検査装置において遊技球の流れを円滑にすることが必要な場合に利用可能である。
【図面の簡単な説明】
【００４６】
【図１】本発明の一実施形態の遊技盤検査装置用治具が使用される遊技盤検査装置を示す斜視図である。
【図２】遊技盤検査装置用治具を示す図であり、（ａ）は側面図、（ｂ）は平面図、（ｃ）は正面図、（ｄ）は（ｂ）におけるＡ−Ａ線断面図である。
【図３】遊技盤検査装置へ遊技盤検査装置用治具を装着する様子を示す斜視図である。
【図４】遊技盤検査装置用治具を装着した遊技盤検査装置における遊技球の流れを示す斜視図である。
【図５】遊技盤から排出された遊技球が遊技盤検査装置用治具によって案内される様子を遊技盤の背面側から示す説明図である。
【図６】変形例の遊技盤検査装置用治具を示す図であり、（ａ）は側面図、（ｂ）は平面図、（ｃ）は正面図、（ｄ）は（ｂ）におけるＢ−Ｂ線断面図である。
【図７】変形例の遊技盤検査装置用治具を装着した遊技盤検査装置における遊技球の流れを示す斜視図である。
【図８】遊技盤から排出された遊技球が変形例の遊技盤検査装置用治具によって案内される様子を遊技盤の背面側から示す説明図である。
【図９】従来例の遊技盤検査装置を使用して遊技盤の検査を行う様子を示す斜視図である。
【図１０】従来例の遊技盤検査装置において遊技盤の背面側から遊技球が排出される様子を示す図である。
【符号の説明】
【００４７】
１          遊技盤検査装置
１０          検査台
１２          凹形状部
１４          ターンテーブル
１９          ローラコンベア
１９ａ        フレーム
１９ｂ        ローラ
３０          遊技盤
５０，５０’  遊技盤検査装置用治具
５１          案内部
５１ａ        傾斜面
５２          側壁部
５３          把持部
【図１】
2010088719.tif 000003
【図２】
2010088719.tif 000004
【図３】
2010088719.tif 000005
【図４】
2010088719.tif 000006
【図５】
2010088719.tif 000007
【図６】
2010088719.tif 000008
【図７】
2010088719.tif 000009
【図８】
2010088719.tif 000010
【図９】
2010088719.tif 000011
【図１０】
2010088719.tif 000012